(57)【要約】【課題】ストレス度等の健康状態の測定結果をジョブの実行完了と共に知りたい人、ジョブ実行が完了しても正確な測定結果を知りたい人、それぞれのニーズに対応することが出来る画像処理装置等を提供する。【解決手段】ジョブ実行手段１０２によるジョブ実行開始後に健康状態に関する測定を促すことがユーザーに通知されるとともに、この通知に応じたユーザーの健康状態に関する測定がヘルス測定手段１７０により行われたのち、ユーザー固有の複数のパラメータのうち少なくとも一部のパラメータの入力を促す通知が行われる。この通知に応じたユーザーによるパラメータの入力が受け付けられ、健康状態に関する測定結果と受け付けられたユーザー固有のパラメータとから、健康状態算出手段１０２により健康状態が算出される。【選択図】図１１
2017153562.tif 000002
【特許請求の範囲】
【請求項１】
ジョブ実行手段と、
ユーザーの健康状態に関する測定を行うヘルス測定手段と、
前記ジョブ実行手段によるジョブ実行開始後に健康状態に関する測定を促すことをユーザーに通知するとともに、当該通知に応じたユーザーの健康状態に関する測定をヘルス測定手段が行ったのち、ユーザー固有の複数のパラメータのうち少なくとも一部のパラメータの入力を促す通知を行う通知手段と、
前記通知手段によるパラメータの入力を促す通知に応じたユーザーによる前記パラメータの入力を受け付ける受付手段と、
前記ヘルス測定手段による測定結果と、前記受付手段により受け付けられたユーザー固有のパラメータとから、健康状態を算出する健康状態算出手段と、
ジョブ実行完了時に、前記健康状態算出手段による算出結果を表示するとともに、追加入力可能なユーザー固有のパラメータが存在する場合は、追加入力可能なパラメータを入力することで更に精度の高い健康状態を算出できることを表示する表示手段と、
を備えたことを特徴とする画像処理装置。
【請求項２】
前記ユーザー固有のパラメータは、少なくともユーザーの性別、年齢、身長、体重である請求項１に記載の画像処理装置。
【請求項３】
前記受付手段により受け付けられるユーザー固有のパラメータの値は、予め設定された所定の値若しくは個人認証完了時に取得した各ユーザー固有のパラメータの値である請求項１または２に記載の画像処理装置。
【請求項４】
ユーザーによって入力されたユーザー固有のパラメータの値と入力に要した時間を、ユーザー毎に個人情報として更新可能に登録する登録手段を備えている請求項１〜３のいずれかに記載の画像処理装置。
【請求項５】
前記ジョブ実行手段によるジョブの実行が完了するまでの時間を算出するジョブ実行時間算出手段と、ユーザーによるユーザー固有のパラメータの入力時間を特定する入力時間特定手段と、をさらに備え、
前記入力時間特定手段により特定されたユーザー固有のパラメータの入力時間と、前記ヘルス測定手段による測定から前記健康状態算出手段による健康状態の算出までに要する予め設定された時間との合計が、前記ジョブ実行時間算出手段により算出されたジョブの実行完了までの時間を超える場合には、前記通知手段により入力を促す通知を行うパラメータの項目を制限する請求項１〜４のいずれかに記載の画像処理装置。
【請求項６】
前記入力時間特定手段は、前記ユーザー固有のパラメータの入力時間を、パラメータ毎に予め設定した時間に基づいて特定する請求項５に記載の画像処理装置。
【請求項７】
前記入力時間特定手段は、前記ユーザー固有のパラメータの入力時間を、過去の入力時間の平均値で特定する請求項５に記載の画像処理装置。
【請求項８】
前記入力時間特定手段は、前記ユーザー固有のパラメータの入力時間を、ユーザーの個人情報として予め登録されている時間に基づいて特定する請求項５に記載の画像処理装置。
【請求項９】
前記健康状態算出手段による算出結果に与える影響の大きいパラメータが優先的に通知される形態で、前記パラメータの項目を制限する請求項５〜８のいずれかに記載の画像処理装置。
【請求項１０】
前記健康状態算出手段により算出される健康状態はストレス度である請求項１〜９のいずれかに記載の画像処理装置。
【請求項１１】
画像処理装置が、
ジョブ実行ステップと、
ユーザーの健康状態に関する測定を行うヘルス測定ステップと、
前記ジョブ実行ステップによるジョブ実行開始後に健康状態に関する測定を促すことをユーザーに通知するとともに、当該通知に応じたユーザーの健康状態に関する測定をヘルス測定ステップで行ったのち、ユーザー固有の複数のパラメータのうち少なくとも一部のパラメータの入力を促す通知を行う通知ステップと、
前記通知ステップによるユーザー固有のパラメータの入力を促す通知に応じたユーザーによる前記パラメータの入力を受け付ける受付ステップと、
前記ヘルス測定ステップによる測定結果と、前記受付ステップにより受け付けられたユーザー固有のパラメータとから、健康状態を算出する健康状態算出ステップと、
ジョブ実行完了時に、前記健康状態算出ステップによる算出結果を表示するとともに、追加入力可能なユーザー固有のパラメータが存在する場合は、追加入力可能なパラメータを入力することで更に精度の高い健康状態を算出できることを表示する表示ステップと、
を実行することを特徴とする健康状態測定方法。
【請求項１２】
画像処理装置のコンピュータに、
ジョブ実行ステップと、
ユーザーの健康状態に関する測定を行うヘルス測定ステップと、
前記ジョブ実行ステップによるジョブ実行開始後に健康状態に関する測定を促すことをユーザーに通知するとともに、当該通知に応じたユーザーの健康状態に関する測定をヘルス測定ステップで行ったのち、ユーザー固有の複数のパラメータのうち少なくとも一部のパラメータの入力を促す通知を行う通知ステップと、
前記通知ステップによるユーザー固有のパラメータの入力を促す通知に応じたユーザーによる前記パラメータの入力を受け付ける受付ステップと、
前記ヘルス測定ステップによる測定結果と、前記受付ステップにより受け付けられたユーザー固有のパラメータとから、健康状態を算出する健康状態算出ステップと、
ジョブ実行完了時に、前記健康状態算出ステップによる算出結果を表示するとともに、追加入力可能なユーザー固有のパラメータが存在する場合は、追加入力可能なパラメータを入力することで更に精度の高い健康状態を算出できることを表示する表示ステップと、
を実行させるための健康状態測定プログラム。
【発明の詳細な説明】
【技術分野】
【０００１】
この発明は、ストレス度等の健康状態を測定可能な画像処理装置、同装置で実行される健康状態測定方法及び健康状態測定プログラムに関する。
【背景技術】
【０００２】
労働安全衛生法の一部を改正する法律が２０１５年１２月１日から施行され、従業員に対するストレスチェックの実施が従業員数が一定以上の事業所で義務化された。
【０００３】
このような背景もあり、例えば、コピー機能、プリンタ機能、ファクシミリ機能、スキャン機能等の複数の機能を有する多機能デジタル複合機であるＭＦＰ（Multi Function Peripheral）等の画像処理装置にストレス計測装置を組み込み、測定結果を操作パネルに表示したり、印刷やメール送信等ができる機能を提供する開発が行われている。
【０００４】
ストレス測定は、ユーザーが所定位置に手等の人体の一部を置くことにより例えば脈拍を測定することにより行われ、いくつかのユーザー固有のパラメータ(例えば、性別、年齢、身長、体重)を入力することで、より精度の高い測定結果が得られる。
【０００５】
ところで、画像処理装置は印刷、スキャン等の各種のジョブを実行するのに用いられるため、ストレス測定を目的に画像処理装置を操作する場合以外は、必ず何らかのジョブを実行することになる。
【０００６】
このため、ジョブの実行前の例えばユーザー認証完了時等に測定を促して実行させる場合、ジョブ実行時間に加えて、ユーザー固有のパラメータを入力する時間が必要であり、ユーザーを拘束する時間が長くなる。このため、健康管理に対する意識が低いユーザーは測定せずジョブだけを行う可能性が高い。
【０００７】
また、ジョブの開始後に測定を促す場合、入力項目によっては入力に時間がかかり、ジョブの実行時間よりも測定完了の方が長くなる可能性がある。この場合、特に健康管理に対する意識が低いユーザーは、ジョブの完了に伴い所定位置から手を離して測定を止めてしまい、測定が出来ない可能性がある。
【０００８】
更には、ユーザー固有のパラメータのうち一部のパラメータの入力が短時間で終わり、ジョブの実行完了よりも測定完了の方が早い場合、ユーザーは残りのパラメータを入力することでより精度の高い測定が出来るにも関わらず、ジョブ完了まで待つだけとなり、時間の有効活用が出来ない可能性がある。
【０００９】
つまり、ジョブの実行完了と共に測定結果を知りたい人、ジョブ実行が完了しても正確な測定結果を知りたい人、それぞれのニーズに対応することが出来ないという課題がある。
【００１０】
なお、特許文献１には、体重の測定後に個人身体情報を入力可能とする体重計付き体脂肪測定装置が開示されている。
【００１１】
また特許文献２には、測定した体重と、インピーダンス測定結果と、性別、人種、年齢、身長、体格指数、体脂肪率及び体脂肪量のうちの少なくとも一つを変数とし、それらを演算してウエストの周囲径を算出するに際し、入力がない変数は予め記憶した定数を用いて算出する技術が開示されている。
【先行技術文献】
【特許文献】
【００１２】
【特許文献１】特開２００１−１０４２７３号公報
【特許文献２】特開２００８−１４２４６９号公報
【発明の概要】
【発明が解決しようとする課題】
【００１３】
しかし、上記特許文献１及び２に記載の技術は、画像処理装置のようなジョブを実行するための装置ではなく、このため、ストレス度の測定結果をジョブの実行完了と共に知りたい人、ジョブ実行が完了しても正確な測定結果を知りたい人、それぞれのニーズに対応することが出来ないという課題に対して、解決策を提供しうるものではなかった。
【００１４】
この発明は、このような技術的背景に鑑みてなされたものであって、ストレス度等の健康状態の測定結果をジョブの実行完了と共に知りたい人、ジョブ実行が完了しても正確な測定結果を知りたい人、それぞれのニーズに対応することが出来る画像処理装置、健康状態測定方法及び健康状態測定プログラムを提供することを目的とする。
【課題を解決するための手段】
【００１５】
上記課題は、以下の手段によって解決される。
（１）ジョブ実行手段と、ユーザーの健康状態に関する測定を行うヘルス測定手段と、前記ジョブ実行手段によるジョブ実行開始後に健康状態に関する測定を促すことをユーザーに通知するとともに、当該通知に応じたユーザーの健康状態に関する測定をヘルス測定手段が行ったのち、ユーザー固有の複数のパラメータのうち少なくとも一部のパラメータの入力を促す通知を行う通知手段と、前記通知手段によるパラメータの入力を促す通知に応じたユーザーによる前記パラメータの入力を受け付ける受付手段と、前記ヘルス測定手段による測定結果と、前記受付手段により受け付けられたユーザー固有のパラメータとから、健康状態を算出する健康状態算出手段と、ジョブ実行完了時に、前記健康状態算出手段による算出結果を表示するとともに、追加入力可能なユーザー固有のパラメータが存在する場合は、追加入力可能なパラメータを入力することで更に精度の高い健康状態を算出できることを表示する表示手段と、を備えたことを特徴とする画像処理装置。
（２）前記ユーザー固有のパラメータは、少なくともユーザーの性別、年齢、身長、体重である前項１に記載の画像処理装置。
（３）前記受付手段により受け付けられるユーザー固有のパラメータの値は、予め設定された所定の値若しくは個人認証完了時に取得した各ユーザー固有のパラメータの値である前項１または２に記載の画像処理装置。
（４）ユーザーによって入力されたユーザー固有のパラメータの値と入力に要した時間を、ユーザー毎に個人情報として更新可能に登録する登録手段を備えている前項１〜３のいずれかに記載の画像処理装置。
（５）前記ジョブ実行手段によるジョブの実行が完了するまでの時間を算出するジョブ実行時間算出手段と、ユーザーによるユーザー固有のパラメータの入力時間を特定する入力時間特定手段と、をさらに備え、前記入力時間特定手段により特定されたユーザー固有のパラメータの入力時間と、前記ヘルス測定手段による測定から前記健康状態算出手段による健康状態の算出までに要する予め設定された時間との合計が、前記ジョブ実行時間算出手段により算出されたジョブの実行完了までの時間を超える場合には、前記通知手段により入力を促す通知を行うパラメータの項目を制限する前項１〜４のいずれかに記載の画像処理装置。
（６）前記入力時間特定手段は、前記ユーザー固有のパラメータの入力時間を、パラメータ毎に予め設定した時間に基づいて特定する前項５に記載の画像処理装置。
（７）前記入力時間特定手段は、前記ユーザー固有のパラメータの入力時間を、過去の入力時間の平均値で特定する前項５に記載の画像処理装置。
（８）前記入力時間特定手段は、前記ユーザー固有のパラメータの入力時間を、ユーザーの個人情報として予め登録されている時間に基づいて特定する前項５に記載の画像処理装置。
（９）前記健康状態算出手段による算出結果に与える影響の大きいパラメータが優先的に通知される形態で、前記パラメータの項目を制限する前項５〜８のいずれかに記載の画像処理装置。
（１０）前記健康状態算出手段により算出される健康状態はストレス度である前項１〜９のいずれかに記載の画像処理装置。
（１１）画像処理装置が、ジョブ実行ステップと、ユーザーの健康状態に関する測定を行うヘルス測定ステップと、前記ジョブ実行ステップによるジョブ実行開始後に健康状態に関する測定を促すことをユーザーに通知するとともに、当該通知に応じたユーザーの健康状態に関する測定をヘルス測定ステップで行ったのち、ユーザー固有の複数のパラメータのうち少なくとも一部のパラメータの入力を促す通知を行う通知ステップと、前記通知ステップによるユーザー固有のパラメータの入力を促す通知に応じたユーザーによる前記パラメータの入力を受け付ける受付ステップと、前記ヘルス測定ステップによる測定結果と、前記受付ステップにより受け付けられたユーザー固有のパラメータとから、健康状態を算出する健康状態算出ステップと、ジョブ実行完了時に、前記健康状態算出ステップによる算出結果を表示するとともに、追加入力可能なユーザー固有のパラメータが存在する場合は、追加入力可能なパラメータを入力することで更に精度の高い健康状態を算出できることを表示する表示ステップと、を実行することを特徴とする健康状態測定方法。
（１２）画像処理装置のコンピュータに、ジョブ実行ステップと、ユーザーの健康状態に関する測定を行うヘルス測定ステップと、前記ジョブ実行ステップによるジョブ実行開始後に健康状態に関する測定を促すことをユーザーに通知するとともに、当該通知に応じたユーザーの健康状態に関する測定をヘルス測定ステップで行ったのち、ユーザー固有の複数のパラメータのうち少なくとも一部のパラメータの入力を促す通知を行う通知ステップと、前記通知ステップによるユーザー固有のパラメータの入力を促す通知に応じたユーザーによる前記パラメータの入力を受け付ける受付ステップと、前記ヘルス測定ステップによる測定結果と、前記受付ステップにより受け付けられたユーザー固有のパラメータとから、健康状態を算出する健康状態算出ステップと、ジョブ実行完了時に、前記健康状態算出ステップによる算出結果を表示するとともに、追加入力可能なユーザー固有のパラメータが存在する場合は、追加入力可能なパラメータを入力することで更に精度の高い健康状態を算出できることを表示する表示ステップと、を実行させるための健康状態測定プログラム。
【発明の効果】
【００１６】
前項（１）及び（１１）に記載の発明によれば、ジョブ実行開始後に健康状態に関する測定を促すことがユーザーに通知されるとともに、この通知に応じたユーザーの健康状態に関する測定が行われたのち、ユーザー固有の複数のパラメータのうち少なくとも一部のパラメータの入力を促す通知が行われる。この通知に応じたユーザーによるパラメータの入力が受け付けられ、健康状態に関する測定結果と受け付けられたユーザー固有のパラメータとから、健康状態が算出される。
【００１７】
このように、ジョブ実行開始後において、ユーザー固有のパラメータの入力よりも前に健康状態に関する測定が行われ、測定後にユーザー固有のパラメータの入力が行われるから、ジョブの実行完了時に、測定が完了していないユーザーが所定位置から手を離して測定ができないという事態が発生する可能性を低減することができる。
【００１８】
また、ジョブ実行完了時に算出された健康状態が表示されるとともに、追加入力可能なユーザー固有のパラメータが存在する場合は、この追加入力可能なパラメータを入力することで更に精度の高い健康状態を算出できることが表示されるから、ユーザーは健康状態の測定結果をジョブの実行完了と共に知ることができる。しかも、ジョブ実行が完了しても正確な測定結果を知りたい人は、追加入力可能なパラメータを入力することで更に精度の高い健康状態を知ることができるから、ストレス度等の健康状態の測定結果をジョブの実行完了と共に知りたい人、ジョブ実行が完了しても正確な測定結果を知りたい人、それぞれのニーズに対応することが出来る。
【００１９】
前項（２）に記載の発明によれば、ユーザー固有のパラメータとして、少なくともユーザーの性別、年齢、身長、体重を用いることで、精度の高い健康状態を測定することができる。
【００２０】
前項（３）に記載の発明によれば、予め設定された所定の値若しくは個人認証完了時に取得した各ユーザー固有のパラメータの値を、ユーザー固有のパラメータの値として受け付けることができるから、ユーザーの入力操作が不要となり、入力に要する時間を短縮できる。
【００２１】
前項（４）に記載の発明によれば、登録されたユーザー固有のパラメータの値と入力に要した時間を、ユーザー固有のパラメータの値及び入力時間として利用することができる。
【００２２】
前項（５）に記載の発明によれば、ユーザー固有のパラメータの入力時間と、健康状態に関する測定から健康状態の算出までに要する予め設定された時間との合計が、算出されたジョブの実行完了までの時間を超える場合は、入力を促す通知が行われるパラメータの数が制限されるから、ジョブの実行完了までに健康状態を確実に算出でき、ジョブの実行完了時には算出された健康状態を表示することができる。
【００２３】
前項（６）に記載の発明によれば、ユーザー固有のパラメータの入力時間を、パラメータ毎に予め設定した時間に基づいて特定することができる。
【００２４】
前項（７）に記載の発明によれば、ユーザー固有のパラメータの入力時間を、過去の入力時間の平均値で特定することができる。
【００２５】
前項（８）に記載の発明によれば、ユーザー固有のパラメータの入力時間を、ユーザーの個人情報として予め登録されている時間に基づいて特定することができる。
【００２６】
前項（９）に記載の発明によれば、健康状態の算出結果に与える影響の大きいパラメータが優先的に通知される形態で、パラメータの項目が制限されるから、パラメータの項目が制限されても精度の高い健康状態を算出でき、算出結果をジョブの実行完了時に表示することができる。
【００２７】
前項（１０）に記載の発明によれば、ストレス度を算出することができる画像処理装置となる。
【００２８】
前項（１２）に記載の発明によれば、ジョブ実行開始後に健康状態に関する測定を促すことをユーザーに通知するとともに、当該通知に応じたユーザーの健康状態に関する測定を行ったのち、ユーザー固有の複数のパラメータのうち少なくとも一部のパラメータの入力を促す通知を行い、この通知に応じたユーザーによるパラメータの入力を受け付け、測定結果と受け付けられたユーザー固有のパラメータとから健康状態を算出して、ジョブ実行完了時に表示するとともに、追加入力可能なユーザー固有のパラメータが存在する場合は、この追加入力可能なパラメータを入力することで更に精度の高い健康状態を算出できることを表示する処理を、画像処理装置のコンピュータに実行させることができる。
【図面の簡単な説明】
【００２９】
【図１】この発明の一実施形態に係る画像処理装置の構成を示すブロック図である。
【図２】ジョブの実行開始後に表示される画面を示す図である。
【図３】健康状態の測定中に表示される画面である。
【図４】ストレス測定の完了時に表示される画面である。
【図５】ジョブの実行完了時に表示される画面である。
【図６】健康状態の算出結果を示す図である。
【図７】ジョブ実行時間とストレス測定時間とユーザーのパラメータ入力時間との関係から、表示するパラメータの入力項目を変更する場合の一例を示す図である。
【図８】ジョブ実行時間とストレス測定時間とユーザーのパラメータ入力時間との関係から、表示するパラメータの入力項目を変更する場合の他の例を示す図である。
【図９】ジョブ実行時間とストレス測定時間とユーザーのパラメータ入力時間との関係から、表示するパラメータの入力項目を変更する場合のさらに他の例を示す図である。
【図１０】個人認証完了時に、登録されているパラメータの値を取得してパラメータの入力項目に自動的に反映した状態を示す図である。
【図１１】画像処理装置のストレス測定動作を示すフローチャートである。
【図１２】図１１のフローチャートにおけるステップＳ０９のユーザー固有のパラメータの入力処理を示すフローチャートである。
【図１３】ストレス測定動作時の画像処理装置の各部の処理シーケンスを示す図である。
【発明を実施するための形態】
【００３０】
以下、この発明の実施形態を図面に基づいて説明する。
【００３１】
図１は、この発明の一実施形態に係る画像処理装置の構成を示すブロック図である。
【００３２】
画像処理装置１として、この実施形態では、プリンタ機能、ファクシミリ機能、スキャン機能等の機能を備えた多機能デジタル画像形成装置である前述したＭＦＰが用いられている。以下、画像処理装置をＭＦＰともいう。
【００３３】
図１に示すように、ＭＦＰ１は、制御部１００、読み取り部１１０、画像形成部１２０、定着部１３０、記憶部１４０、表示部１５０、入力部１６０、生体特性測定部１７０、認証部１８０、時計ＩＣ１９０等を備え、互いにシステムバス１７５を介して接続されている。
【００３４】
制御部１００は、機能的に、全体制御部１０１とジョブ制御部１０２とストレス測定制御部１０３を備えている。全体制御部１０１はＭＦＰ１の全体を統括的に制御する。ジョブ制御部１０２は、コピー機能、プリンタ機能、スキャン機能、ファクシミリ機能等を制御してジョブの実行に関する制御を行う。ストレス測定制御部１０３は、生体特性測定部１７０による測定結果に基づいて、ユーザーの健康状態としてのストレス度を算出する。
【００３５】
制御部１００は、ＣＰＵ１００ａ、ＲＯＭ１００ｂ、ＲＡＭ１００ｃを備えている。ＣＰＵ１００ａはＲＯＭ１００ｂ等に保存されているプログラムを実行することにより、ＭＦＰ１の全体を制御する。ＲＯＭ１００ｂは、ＣＰＵ１００ａが実行するプログラムやその他のデータを格納する。ＲＡＭ１００ｃは、ＣＰＵ１００ａがプログラムを実行する際の作業領域となるものであり、プログラムやプログラムを実行する際のデータ等を一時的に保存する。なお、全体制御部１０１とジョブ制御部１０２とストレス測定制御部１０３は、ＣＰＵ１００ａが動作することによって機能的に実現される構成部分である。
【００３６】
読み取り部１１０は、スキャナ等を備え、プラテンガラス上にセットされた原稿を走査することによって読み取り、読み取った原稿を画像データに変換するものである。
【００３７】
画像形成部１２０は、読み取り部１１０で読み取られた原稿の画像データやプリントデータから生成された複写画像を用紙上に印字するものであり、定着部１３０は用紙上に印字された複写画像を定着するものである。読み取り部１１０、画像形成部１２０及び定着部１３０等により、コピージョブを実行するジョブ実行手段が形成され、画像形成部１２０及び定着部１３０等により、プリントジョブを実行するジョブ実行手段が形成される。
【００３８】
記憶部１４０は、ハードディスク等からなり、プログラムや各種データ、例えばユーザーがログインする際の認証のための認証情報や、ユーザーがストレス度の測定を行うときのパラメータの入力時間等のユーザー毎の登録情報を記憶する。
【００３９】
表示部１５０は、例えば液晶画面からなりメッセージや各種の操作画面やストレス度の測定結果等を表示する。
【００４０】
入力部１６０はユーザーが設定値を入力してジョブの実行を指示したり、ストレス度の測定を行う際のユーザー固有のパラメータ等を入力するのに使用され、タッチパネルや、テンキー、スタートボタン等のハードキーからなる。
【００４１】
生体特性測定部１７０は、ユーザーのストレス度を測定するために、ユーザーの生体信号例えば脈拍等を測定する。また、一対の電極を設けこの電極に手を置いた状態で生体電気インピーダンスを測定するようにしてもよい。
【００４２】
認証部１８０はユーザーがＭＦＰ１にログインするときに認証を行うものであり、時計ＩＣ１９０は、ユーザーによるパラメータの入力時間の計測等を行う。
【００４３】
次に、図１に示したＭＦＰ１の動作を説明する。
【００４４】
ユーザーが認証を行いＭＦＰ１にログインし、ジョブの実行を指示するとジョブの実行が開始される。すると、表示部１５０に図２に示す画面Ｄ１が表示される。この画面Ｄ１では、ジョブを実行中であることを示すメッセージと共に、ストレス測定が可能であり、測定後にユーザー固有のパラメータを入力することで、より精度の高い測定結果を得ることができる旨のメッセージが表示され、さらに「測定する」ボタンと「測定しない」ボタンが表示されている。
【００４５】
ユーザーが「測定する」ボタンを押し、生体特性測定部１７０を使用して測定を開始すると、表示部１５０には図３に示す画面Ｄ２が表示される。この画面Ｄ２では、ジョブを実行中であること及びストレス測定中であることを示すメッセージと共に、ストレス測定中は手を離さないこと、及び手を離すと正しい測定ができないことを示すメッセージが表示される。
【００４６】
ストレス測定が完了すると、表示部１５０の画面は図４の画面Ｄ３に切り替わる。この画面Ｄ３では、ジョブを実行中であることを示すメッセージと共に、ストレス測定が完了したこと、手を離して良いこと、及びジョブ完了までに時間があり、ユーザー固有のパラメータを入力することで、より精度の高い測定結果を得ることができることを示すメッセージが表示され、さらにユーザー固有のパラメータとして例えば性別、年齢、身長、体重の各入力項目が表示される。
【００４７】
ユーザーが全てのあるいは一部の入力項目に自身のパラメータを入力し、「入力完了」ボタンを押すと、ＭＦＰ１によってこれらのパラメータが受け付けられ、生体特性測定部１７０による測定結果と入力されたパラメータとに基づいて、健康状態としてのストレス度が算出される。
【００４８】
ジョブの実行が完了すると、表示部１５０には図５に示す画面Ｄ４が表示される。この画面Ｄ４では、ジョブの実行が完了したことと共にストレス度の算出結果が表示され、さらに、継続してユーザー固有のパラメータを入力することで、より精度の高い測定結果を得ることができることを示すメッセージが表示され、さらにユーザー固有のパラメータの入力項目が表示される。なお、この画面Ｄ４では、画面Ｄ３で既に入力済みのパラメータの入力項目については表示されない。
【００４９】
図５の画面Ｄ４において、ユーザーが未入力のパラメータを入力し、「入力完了」ボタンを押すと、生体特性測定部１７０による測定結果と入力されたパラメータとに基づいて、健康状態としてのストレス度が算出される。そして、図６に示すように、算出結果を示す画面Ｄ５が表示部１５０に表示される。
【００５０】
ところで、生体特性測定部１７０による測定終了時に表示される図４の画面Ｄ３において、入力項目へのパラメータの入力に時間がかかり、ジョブの実行完了までにストレス度の算出が終了しない場合が考えられる。そこで、この実施形態では、ジョブ完了までのジョブ実行時間と、生体特性測定部１７０による測定開始からストレス度の算出までのストレス測定時間と、ユーザー固有のパラメーターのユーザーによる入力時間との関係から、生体特性測定部１７０による測定終了時に表示するパラメータの入力項目を制限している。なお、生体特性測定部１７０による測定開始からストレス度の算出までのストレス測定時間は、予め一定時間に設定されている。
【００５１】
具体的には、ユーザーが各入力項目にパラメータを入力する時間を特定したのち、特定された入力時間とストレス測定時間との合計が、ジョブ実行時間を超えるか否かによって、表示するパラメータの入力項目を制限している。
【００５２】
図７に示すように、ジョブ実行時間からストレス測定時間を差し引いたジョブ実行完了待ち時間が十分に長い場合、ユーザーが全ての入力項目にパラメータを入力する時間をストレス測定時間に加えてもジョブ実行時間を超えないため、全てのパラメータの入力項目（この例では性別、年齢、身長、体重）が表示される。
【００５３】
図８に示すように、ジョブ実行時間が短くなって、ジョブ実行時間とストレス測定時間との差であるジョブ実行完了待ち時間が短くなると、ジョブ実行完了待ち時間の範囲内でユーザーが入力可能なパラメータの入力項目のみを表示する。この例では性別と年齢の２つの入力項目が表示されている。
【００５４】
図９に示すように、ジョブ実行時間がさらに短くなって、ジョブ実行時間とストレス測定時間との差であるジョブ実行完了待ち時間がさらに短くなると、さらに表示される入力項目の数が制限され、性別という１個の入力項目のみが表示されている。
【００５５】
このように、ストレス測定時間とユーザーによるパラメータの入力時間との合計が、ジョブ実行時間を超えないように、換言すればユーザーによるパラメータの入力時間がジョブ実行完了待ち時間を超えないように、表示される入力項目の数が制限されて表示されるから、ジョブの実行完了までにストレス度を確実に算出でき、ジョブの実行完了時には算出されたストレス度を表示部１５０に表示することができる。
【００５６】
また、パラメータの入力項目の数を制限して表示する場合に、ストレス度の算出結果に与える影響の大きいパラメータが優先的に通知される形態で、パラメータの入力項目の数が制限されるのが良い。例えば、性別、年齢、身長、体重の順でストレス度の算出結果に与える影響が大きい場合、１個の入力項目を表示する場合は性別の項目を表示し、２個の入力項目を表示する場合は性別及び年齢の項目を表示し、３個の入力項目を表示する場合は性別、年齢及び身長の項目を表示するのが良い。これによって、入力するパラメータの数が制限されても精度の高い健康状態を算出できる。
【００５７】
ここで、ユーザーによるユーザー固有のパラメータの入力時間を特定する方法の一例として、パラメータ毎に予め設定した時間に基づいて特定する方法を挙げることができる。この場合、全てのユーザーについて同一の時間を設定しても良いし、ユーザー毎に異なる時間を設定しても良い。設定された時間は、全てのユーザーについて同一の場合は共通情報として、ユーザー毎に異なる時間を設定した場合はユーザーの個人情報として、記憶部１４０等に記憶されており、必要なときに呼び出して使用される。
【００５８】
また、ユーザーによるユーザー固有のパラメータの入力時間を特定する方法の他の例として、ユーザー固有のパラメータの過去の入力時間を時計ＩＣ１９０で計測し登録しておき、過去の入力時間の平均値で特定してもよい。
【００５９】
また、ユーザー毎の直近の入力時間を更新可能に登録しておき、直近の入力時間で特定しても良い。
【００６０】
また、入力されるユーザー固有のパラメータについても、ユーザーが直接に入力しても良いし、あるいは予め設定された所定の値を表示しておき、ユーザーにこの値を修正させる形態であっても良い。あるいは、パラメータの値を予めユーザーの個人情報として登録しておき、個人認証完了時にこの登録されているパラメータの値を取得して、図１０に示すように入力項目に自動的に反映し表示させても良い。このように、パラメータの値を入力項目に自動的に表示しておくことにより、入力作業が簡素になり、入力時間を短縮することができる。
【００６１】
図１１は、ＭＦＰ１のストレス測定動作を示すフローチャートである。この動作は、ＭＦＰ１のＣＰＵ１００ａがＲＯＭ１００ｂ等に格納されている動作プログラムに従って動作することにより実行される。
【００６２】
ステップＳ０１では、ユーザー認証を実施した後、ステップＳ０２で、ユーザー固有のパラメータと過去のパラメータ入力時間を取得する。
【００６３】
次いでステップＳ０３で、ログアウトされたかどうかを判断し、ログアウトされていると（ステップＳ０３でＹＥＳ）、ステップＳ０１に戻る。ログアウトされていなければ（ステップＳ０３でＮＯ）、ステップＳ０４で、ジョブの実行が指示されるのを待つ（ステップＳ０４でＮＯ）。ジョブの実行が指示されると（ステップＳ０４でＹＥＳ）、ジョブを開始した後、ステップＳ０５でジョブ実行時間を算出し、ステップＳ０６で、ストレス測定を促す図２の画面Ｄ１を表示部１５０に表示する。
【００６４】
次いで、ステップＳ０７で、「測定する」ボタンが押されたかどうかを判定する。押されていなければ、ステップＳ１８で「測定しない」ボタンが押されたかどうかを判定する。押されていなければ（ステップＳ１８でＮＯ）、ステップＳ０７に戻って何れかのボタンが押されるのを待つ。ステップＳ１８で「測定しない」ボタンが押された場合（ステップＳ１８でＹＥＳ）、ステップＳ１９でジョブの実行が完了するのを待ち（ステップＳ１９でＮＯ）、完了すると（ステップＳ１９でＹＥＳ）、ステップＳ０３に進む。従って、この場合はストレス測定は行われない。
【００６５】
ステップＳ０７で「測定する」ボタンが押されると（ステップＳ０７でＹＥＳ）、ステップＳ０８で、生体特性測定部１７０により脈拍等を測定する。次いでステップＳ０９で、ユーザー固有のパラメータの入力処理を行う。
【００６６】
図１２に、ステップＳ０９のユーザー固有のパラメータの入力処理のフローチャートを示す。
【００６７】
ステップＳ０９１では、図１１のステップＳ０５で算出したジョブ実行時間と、予め設定されているストレス測定時間との差であるジョブ実行完了待ち時間を計算し、このジョブ実行完了待ち時間と、図１１のステップＳ０２で取得したユーザーによる過去のパラメータ入力時間とを比較する。
【００６８】
比較の結果、ジョブ実行完了待ち時間が時間１と短く、ユーザーによる過去のパラメータ入力時間から、１個のパラメータの入力しか行えない場合は（ステップＳ０９２）、性別のみの入力項目を表示部１５０に表示する。ジョブ実行完了待ち時間が時間２と短いが、２個のパラメータの入力を行える場合は（ステップＳ０９３）、性別と年齢の入力項目を表示部１５０に表示する。ジョブ実行完了待ち時間が時間３と長く、３個のパラメータの入力を行える場合は（ステップＳ０９４）、性別、年齢及び身長の入力項目を表示部１５０に表示する。ジョブ実行完了待ち時間が時間４とさらに長く、全てのパラメータの入力を行える場合は（ステップＳ０９５）、性別、年齢、身長及び体重の入力項目を表示部１５０に表示する。
【００６９】
なお、時間１（ステップＳ０９２）であっても、ユーザーの入力時間が短く、性別と年齢の２個あるいは３個以上の入力項目を表示可能な場合は、それらを表示部１５０に表示しても良い。ステップＳ０９３及びステップＳ０９４においても同様である。
【００７０】
こうして、ユーザー固有のパラメータの入力項目を表示部１５０に表示したのち、ステップＳ０９６では、ユーザー固有のパラメータの値がそのユーザーの個人情報として登録されているかどうかを調べる。登録されていれば（ステップＳ０９６でＹＥＳ）、ステップＳ０９７で、その登録されているパラメータの値を入力項目に反映して表示したのち、ステップＳ０９８に進む。ユーザー固有のパラメータの値が登録されていなければ（ステップＳ０９６でＮＯ）、そのままステップＳ０９８に進む。
【００７１】
ステップＳ０９８では、パラメータの入力が完了したかどうか（入力を受け付けたかどうか）を調べ、完了していなければ（ステップＳ０９８でＮＯ）、完了まで待つ。完了すると（ステップＳ０９８でＹＥＳ）、図１１のステップＳ１０に戻る。
【００７２】
図１１のステップＳ１０では、生体特性測定部１７０による測定結果と、入力されたユーザー固有のパラメータに基づいてストレス度を算出したのち、ステップＳ１１で、ジョブの実行が完了したかどうかを調べる。完了していなければ（ステップＳ１１でＮＯ）、完了するまで待つ。ジョブの実行が完了すると（ステップＳ１１でＹＥＳ）、ステップＳ１２で、パラメータ未入力の入力項目があるかどうかを判定する。パラメータ未入力の入力項目が無ければ（ステップＳ１２でＮＯ）、ステップＳ１３で、図６の画面Ｄ５に示すように、ジョブの実行が完了したこと及び算出したストレス度を表示部１５０に表示したのち、ステップＳ０３に進む。パラメータ未入力の入力項目があれば（ステップＳ１２でＹＥＳ）、ステップＳ１４に進む。
【００７３】
ステップＳ１４では、図５の図面Ｄ４に示すように、パラメータ未入力の項目を表示すると共に継続してパラメータの入力を促すメッセージを表示したのち、ステップＳ１５で、入力が完了したかどうかを判定する。入力が完了していなければ（ステップＳ１５でＮＯ）、完了まで待つ。完了すると（ステップＳ１５でＹＥＳ）、ステップＳ１６で新たに入力されたパラメータをも加味してストレス度を算出し、ステップＳ１７で、算出したストレス度を図６の画面Ｄ５に示すように表示部１５０に表示したのち、ステップＳ０３に進む。
【００７４】
図１３は、ストレス測定動作時のＭＦＰ１の各部の処理シーケンスを示す図である。
【００７５】
入力部１６０がジョブ実行ボタンの押下を受け付けると（Ｓ１０１）、全体制御部１０１がジョブ制御部１０２にジョブ実行開始を指示し（Ｓ１０２）、ジョブ制御部１０２はジョブの実行を開始する（Ｓ１０３）。
【００７６】
次いで、全体制御部１０１は、ストレス測定実施の有無表示（図２の画面Ｄ１）を表示部１５０に指示し（Ｓ１０４）、表示部１５０は画面表示を行う（Ｓ１０５）。ユーザーが「測定する」ボタンを押下すると、入力部１６０はこれを受け付け（Ｓ１０６）、全体制御部１０１がストレス測定開始をストレス測定制御部１０３に指示し（Ｓ１０７）、さらにストレス測定制御部１０３は脈拍等の測定開始を生体特性測定部１７０に指示する（Ｓ１０８）。これを受けて生体特性測定部１７０は測定を開始する（Ｓ１０９）。測定中、全体制御部１０１は測定中である旨の表示を表示部１５０に指示し（Ｓ１１０）、表示部１５０は図３に示すストレス測定中の画面Ｄ２を表示する（Ｓ１１１）。
【００７７】
生体特性測定部１７０は、測定が完了すると（Ｓ１１２）、完了通知をストレス測定制御部１０３に行い（Ｓ１１３）、ストレス測定制御部１０３は全体制御部１０１に完了通知を行う（Ｓ１１４）。
【００７８】
完了通知を受領した全体制御部１０１は、ユーザー固有のパラメータの入力表示を表示部１５０に指示し（Ｓ１１５）、表示部１５０はこの指示に応じて図４に示すパラメータの入力画面Ｄ３を表示する（Ｓ１１６）。
【００７９】
ユーザーがパラメータ入力すると入力部１６０がこれを受け付け、全体制御部１０１に送信する（Ｓ１１７）。一方、ジョブの実行が完了すると（Ｓ１１８）、ジョブ制御部１０２はジョブ実行完了通知を全体制御部１０１に送信する（Ｓ１１９）。全体制御部１０１は、入力部１６０から受領した固有のパラメータの値をストレス測定制御部１０３に送信してストレス度の算出を指示すると（Ｓ１２０）、ストレス測定制御部１０３は、生体特性測定部１７０での測定結果とパラメータの値とを用いてストレス度を算出する（Ｓ１２１）。
【００８０】
ストレス測定制御部１０３はストレス度を算出すると、ストレス度算出完了を全体制御部１０１に通知する（Ｓ１２２）。
【００８１】
ユーザー固有のパラメータのうち、未入力のパラメータが存在している場合、全体制御部１０１は未入力パラメータの継続入力表示を表示部１５０に指示し（Ｓ１２３）、表示部１５０は図５に示す未入力パラメータの継続入力表示画面Ｄ４を表示する（Ｓ１２４）。
【００８２】
ユーザーがパラメータを入力し入力完了ボタンを押すと、これが入力部１６０で受け付けられ、入力部１６０は入力されたパラメータの値を全体制御部１０１に送信する（Ｓ１２５）。全体制御部１０１は、入力部１６０から受領したパラメータの値をストレス測定制御部１０３に送信してストレス度の算出を指示すると（Ｓ１２６）、ストレス測定制御部１０３は、新たなパラメータの値を加味してストレス度を算出する（Ｓ１２７）。
【００８３】
ストレス測定制御部１０３はストレス度を算出すると、ストレス度算出完了を全体制御部１０１に通知する（Ｓ１２８）。全体制御部１０１は算出されたストレス度の表示を表示部１５０に指示し（Ｓ１２９）、表示部４５０は図６の画面Ｄ５に示すようにストレス度を表示する（Ｓ１３０）。
【００８４】
なお、  ユーザー固有のパラメータのうち、未入力のパラメータが存在していない場合は、Ｓ１２２のストレス測定制御部１０３から全体制御部１０１へのストレス度算出完了通知（Ｓ１２２）後に、全体制御部１０１から、算出されたストレス度の表示指示が表示部１５０に行われ（Ｓ１２９）、表示部４５０はストレス度を表示する（Ｓ１３０）。
【００８５】
このようにこの実施形態によれば、ジョブ実行開始後に脈拍等の健康状態に関する測定を促すことがユーザーに通知されるとともに、この通知に応じたユーザーの脈拍等の測定が行われたのち、ユーザー固有の複数のパラメータのうち少なくとも一部のパラメータの入力を促す通知が行われる。この通知に応じたユーザーによるパラメータの入力が受け付けられ、測定結果と受け付けられたユーザー固有のパラメータとから、ストレス度が算出される。
【００８６】
このように、ジョブ実行開始後において、ユーザー固有のパラメータの入力よりも前に健康状態に関する測定が行われ、測定後にユーザー固有のパラメータの入力が行われるから、ジョブの実行完了時に、測定が完了していないユーザーが所定位置から手を離して測定ができないという事態が発生する可能性を低減することができる。
【００８７】
また、ジョブ実行完了時に算出されたストレス度が表示されるとともに、追加入力可能なユーザー固有のパラメータが存在する場合は、この追加入力可能なパラメータを入力することで更に精度の高い健康状態を算出できることが表示されるから、ユーザーはストレス度をジョブの実行完了と共に知ることができる。しかも、ジョブ実行が完了しても正確な測定結果を知りたい人は、追加入力可能なパラメータを入力することで更に精度の高いストレス度を知ることができるから、ストレス度の結果をジョブの実行完了と共に知りたい人、ジョブ実行が完了しても正確なストレス度を知りたい人、それぞれのニーズに対応することが出来る。
【符号の説明】
【００８８】
１      画像処理装置
１０１ａ  ＣＰＵ
１０１ｂ  ＲＯＭ
１０１ｃ  ＲＡＭ
１０１    全体制御部
１０２    ジョブ制御部
１０３    ストレス測定制御部
１４０    記憶部
１５０    表示部
１６０    入力部
１７０    生体特性測定部（ヘルス測定手段）
【図１】
2017153562.tif 000003
【図２】
2017153562.tif 000004
【図３】
2017153562.tif 000005
【図４】
2017153562.tif 000006
【図５】
2017153562.tif 000007
【図６】
2017153562.tif 000008
【図７】
2017153562.tif 000009
【図８】
2017153562.tif 000010
【図９】
2017153562.tif 000011
【図１０】
2017153562.tif 000012
【図１１】
2017153562.tif 000013
【図１２】
2017153562.tif 000014
【図１３】
2017153562.tif 000015